(57)【特許請求の範囲】
【請求項１】
複数のシャッタを回動可能に支持するとともに、複数の上記シャッタに開閉されることにより外部光が入射又は遮光される開口部が形成されたベース板と、
上記ベース板に回転可能に支持される支持部と、回転の軸周りに設けられた磁石と、上記シャッタに設けられた係合部と係合する回動部とを備え、上記回動部が上記支持部の回転に応じて回動することにより上記シャッタを回動させるシャッタ回動部材と、
上記ベース板に取り付けられ、両端に上記シャッタ回動部材の磁石と対向する対向面が形成されると共に、両端の対向面の間にコイルが巻回される複数のヨークとを備え、
一方のヨークの対向面と他方のヨークの対向面との間に上記シャッタ回動部材が配設され、
上記シャッタ回動部材の磁石を挟んだ相対する一方のヨークの対向面と他方のヨークの対向面の磁極を反対となるように切り換えることにより上記シャッタ回動部材の支持部を一方又は他方に回転させるシャッタ開閉機構。
【請求項２】
上記シャッタ、上記シャッタ回動部材及び上記ヨークは、それぞれ一対設けられている請求項１記載のシャッタ開閉機構。
【請求項３】
上記対向面は、上記ヨークの端部より立ち上がり形成され、上記ベース板に設けられた支軸に嵌挿されている上記磁石の周面と対向されている請求項１記載のシャッタ開閉機構。
【請求項４】
上記ベース板は、上記開口部の周囲に防塵壁が形成されている請求項１記載のシャッタ開閉機構。
【請求項５】
上記係合部は係合孔からなり、上記回動部は、上記係合孔に挿通する回動軸からなり、
上記係合孔は、外周縁にテーパ面が形成されている請求項１記載のシャッタ開閉機構。
【請求項６】
撮像素子と、撮像レンズとを備えたレンズ鏡筒を備え、上記レンズ鏡筒内への光線の入射を制御するシャッタ開閉機構を備えた撮像装置において、
上記シャッタ開閉機構は、
複数のシャッタを回動可能に支持するとともに、複数の上記シャッタに開閉されることにより外部光が入射又は遮光される開口部が形成されたベース板と、
上記ベース板に回転可能に支持される支持部と、回転の軸周りに設けられた磁石と、上記シャッタに設けられた係合部と係合する回動部とを備え、上記回動部が上記支持部の回転に応じて回動することにより上記シャッタを回動させるシャッタ回動部材と、
上記ベース板に取り付けられ、両端に上記シャッタ回動部材の磁石と対向する対向面が形成されると共に、両端の対向面の間にコイルが巻回される複数のヨークとを備え、
一方のヨークの対向面と他方のヨークの対向面との間に上記シャッタ回動部材が配設され、
上記シャッタ回動部材の磁石を挟んだ相対する一方のヨークの対向面と他方のヨークの対向面の磁極を反対となるように切り換えることにより上記シャッタ回動部材の支持部を一方又は他方に回転させる撮像装置。
【発明の詳細な説明】
【技術分野】
【０００１】
本発明は、デジタルスチルカメラやビデオカメラ等の撮像装置において、撮像レンズや撮像素子の前方を覆って、撮像レンズを保護し、或いは露光を制御するシャッタ開閉機構及び撮像装置に関する。
【背景技術】
【０００２】
従来、デジタルスチルカメラやビデオカメラ等の撮像装置において、撮像レンズの前方を覆って撮像レンズを保護するレンズバリア機構が搭載されている。レンズバリア機構は、レンズ鏡筒の前面部に配設され、一般に複数のシャッタ羽根と、シャッタ羽根を駆動する駆動手段を備える（特許文献１参照）。
【０００３】
例えば、図２３に示す従来のレンズバリア機構１００は、レンズ鏡筒（図示せず）の前面部に組み込まれた円形のフロントカバー１０１と、フロントカバー１０１に回動自在に支持されたシャッタ羽根１０２と、フロントカバー１０１と共にシャッタ羽根１０２を挟持するベース板１０３と、シャッタ羽根１０２をフロントカバー１０１に対して回動させる回転板１０４と、フロントカバー１０１の外周部に形成されたギアボックス１０５に配設されたギア機構１０６とを備える。
【０００４】
フロントカバー１０１は、中央部が大きく開口され、撮像レンズを前面に臨ませる開口部が形成されている。シャッタ羽根１０２は、４枚から構成され、フロントカバー１０１に回動自在に支持されるとともに回転板１０４に係合する２枚の主動羽根１０２ａと、主動羽根１０２に係合し、主動羽根１０２ａにそれぞれ追従して回動する２枚の従動羽根１０２ｂとを有する。主動羽根１０２ａは、フロントカバー１０１に回動可能に支持されるとともに、回転板１０４に突設された図示しない駆動ピンが挿通係合する。
【０００５】
ベース板１０３は、フロントカバー１０１と同じ大きさを有し、同様に中央に開口部が形成されている。またベース板１０３は、回転板１０４が嵌合するリング状の凹面部１０７が形成されている。
【０００６】
回転板１０４は、略円形状をなし、ベース板１０３の凹面部１０７内に回転自在に嵌合されている。また、回転板１０４は、主動羽根１０２ａを回動させる駆動ピンが突設され、主動羽根１０２ａに挿通係合する。さらに、回転板１０４は、ギア機構１０６に咬合するギア部１０８が形成され、ギア機構１０６によって図２３中矢印Ｒ方向及び反矢印Ｒ方向へ回転される。また、回転板１０４は、ギア部１０８の上面にモータ制御用センサー１１０に検出されるフィン１１１が突設されている。
【０００７】
ギア機構１０６は、駆動モータ１１２と、駆動モータ１１２と回転板１０４のギア部１０８とを連結する複数の連結ギア１１３と、回転板１０４の回転位置に応じて駆動モータ１１２の駆動を制御するモータ制御用センサー１１０とを備える。
【０００８】
このようなレンズバリア機構１００は、駆動モータ１１２が駆動されると、連結ギア１１２を介して回転板１０４が図２３中矢印Ｒ方向及び反矢印Ｒ方向へ回転される。これにより、主動羽根１０２ａ及び従動羽根１０２ｂが回動され、撮像レンズの開閉が行われる。レンズバリア機構１００は、回転板１０４のフィン１１１がモータ制御用センサー１１０を進退することにより、駆動モータ１１２の駆動が制御され、シャッタ羽根１０２を開位置又は閉位置へ回動させる。
【先行技術文献】
【特許文献】
【０００９】
【特許文献１】特開２００８−１５８２４８号公報
【発明の概要】
【発明が解決しようとする課題】
【００１０】
上述したレンズバリア機構１００は、ギア機構１０６を収納するギアボックス１０５が必要となる。このため、かかるレンズバリア機構１００を備えた撮像装置は、ギアボックス１０５を構成する部品の分だけ部品点数の増加、製造工数の増加を招く。また、図２４に示すように、かかるレンズバリア機構１００を備えた撮像装置１２０は、レンズ鏡筒１２１の前面部１２１ａにギアボックス１０５が鏡筒周面より突出して形成されてしまい、レンズ鏡筒１２１の大型化を招く。
【００１１】
また、レンズバリア機構１００は、駆動モータ１１２や、複数の連結ギア１１３、さらに回動板１０４といった可動部品が多用され、また、回動板１０４は回転半径も大きい。したがって各部品の摩擦抵抗を拾いやすい構造といえる。
【００１２】
そこで、本願は、簡易な構成で、かつスムーズにシャッタの開閉を行うことができるシャッタ開閉機構及び、このシャッタ開閉機構を備えた撮像装置を提供することを目的とする。
【課題を解決するための手段】
【００１３】
上述した課題を解決するために、本発明に係るシャッタ開閉機構は、複数のシャッタを回動可能に支持するとともに、複数の上記シャッタに開閉されることにより外部光が入射又は遮光される開口部が形成されたベース板と、上記ベース板に回転可能に支持される支持部と、回転の軸周りに設けられた磁石と、上記シャッタに設けられた係合部と係合する回動部とを備え、上記回動部が上記支持部の回転に応じて回動することにより上記シャッタを回動させるシャッタ回動部材と、上記ベース板に取り付けられ、両端に上記シャッタ回動部材の磁石と対向する対向面が形成されると共に、両端の対向面の間にコイルが巻回される複数のヨークとを備え、一方のヨークの対向面と他方のヨークの対向面との間に上記シャッタ回動部材が配設され、上記シャッタ回動部材の磁石を挟んだ相対する一方のヨークの対向面と他方のヨークの対向面の磁極を反対となるように切り換えることにより上記シャッタ回動部材の支持部を一方又は他方に回転させるものである。
【００１４】
また、本発明に係る撮像装置は、撮像素子と、撮像レンズとを備えたレンズ鏡筒を備え、上記レンズ鏡筒内への光線の入射を制御するシャッタ開閉機構を備えた撮像装置において、上記シャッタ開閉機構は、複数のシャッタを回動可能に支持するとともに、複数の上記シャッタに開閉されることにより外部光が入射又は遮光される開口部が形成されたベース板と、上記ベース板に回転可能に支持される支持部と、回転の軸周りに設けられた磁石と、上記シャッタに設けられた係合部と係合する回動部とを備え、上記回動部が上記支持部の回転に応じて回動することにより上記シャッタを回動させるシャッタ回動部材と、上記ベース板に取り付けられ、両端に上記シャッタ回動部材の磁石と対向する対向面が形成されると共に、両端の対向面の間にコイルが巻回される複数のヨークとを備え、一方のヨークの対向面と他方のヨークの対向面との間に上記シャッタ回動部材が配設され、上記シャッタ回動部材の磁石を挟んだ相対する一方のヨークの対向面と他方のヨークの対向面の磁極を反対となるように切り換えることにより上記シャッタ回動部材の支持部を一方又は他方に回転させるものである。
【発明の効果】
【００１５】
本発明によれば、簡易な構成でシャッタを回動させることができる。特に、駆動モータや連結ギヤ機構をシャッタの近傍に設ける必要がないことから、撮像装置に適用することにより、部品点数の削減を図るとともに、ギアボックスが不要となり、レンズ鏡筒の小型化を図ることができ、またデザインの自由度も確保することができる。
【図面の簡単な説明】
【００１６】
【図１】本発明が適用されたビデオカメラを示す斜視図である。
【図２】本発明が適用されたビデオカメラを示す側面図である。
【図３】シャッタ開閉機構を示す斜視図である。
【図４】シャッタ開閉機構を示す分解斜視図である。
【図５】シャッタ開閉機構を示す分解斜視図である。
【図６】シャッタ回動部材を示す斜視図である。
【図７】シャッタを開放位置に保持しているシャッタ開閉機構を示す図であり、（ａ）は平面図、（ｂ）は係合孔を示す平面図である。
【図８】シャッタを閉塞位置に回動させようとするシャッタ開閉機構を示す図であり、（ａ）は平面図、（ｂ）は係合孔を示す平面図である。
【図９】シャッタを閉塞位置に保持しているシャッタ開閉機構を示す図であり、（ａ）は平面図、（ｂ）は係合孔を示す平面図である。
【図１０】シャッタを開放位置に回動させようとするシャッタ開閉機構を示す図であり、（ａ）は平面図、（ｂ）は係合孔を示す平面図である。
【図１１】シャッタの閉塞位置への回動を規制するシャッタ開閉機構を示す図であり、（ａ）は平面図、（ｂ）は係合孔を示す平面図である。
【図１２】シャッタの開放位置への回動を規制するシャッタ開閉機構を示す図であり、（ａ）は平面図、（ｂ）は係合孔を示す平面図である。
【図１３】外側縁にテーパ面を形成した係合孔を示す平面図である。
【図１４】シャッタを閉塞位置へ回動させるシャッタ開閉機構を示す図であり、（ａ）は回転機構側を示し、（ｂ）はシャッタ側を示す。
【図１５】シャッタを開放位置へ回動させるシャッタ開閉機構を示す図であり、（ａ）は回転機構側を示し、（ｂ）はシャッタ側を示す。
【図１６】他のシャッタ開閉機構を示す斜視図である。
【図１７】シャッタを開放位置に保持している他のシャッタ開閉機構を示す図であり、（ａ）は平面図、（ｂ）は回動孔を示す平面図である。
【図１８】シャッタを閉塞位置に回動させようとする他のシャッタ開閉機構を示す図であり、（ａ）は平面図、（ｂ）は回動孔を示す平面図である。
【図１９】シャッタを閉塞位置に保持している他のシャッタ開閉機構を示す図であり、（ａ）は平面図、（ｂ）は回動孔を示す平面図である。
【図２０】シャッタを開放位置に回動させようとする他のシャッタ開閉機構を示す図であり、（ａ）は平面図、（ｂ）は回動孔を示す平面図である。
【図２１】シャッタの閉塞位置への回動を規制する他のシャッタ開閉機構を示す図であり、（ａ）は平面図、（ｂ）は回動孔を示す平面図である。
【図２２】シャッタの開放位置への回動を規制する他のシャッタ開閉機構を示す図であり、（ａ）は平面図、（ｂ）は回動孔を示す平面図である。
【図２３】従来のレンズバリア機構を示す斜視図である。
【図２４】従来の撮像装置を示す図である。
【発明を実施するための形態】
【００１７】
以下、本発明が適用されたシャッタ開閉機構及び、このシャッタ開閉機構を備えた撮像装置について、図面を参照しながら詳細に説明する。なお、説明は、以下の順番で行う。
１．撮像装置
２．シャッタ開閉機構
【００１８】
＜１．撮像装置＞
本発明が適用された撮像装置は、例えば、図１及び図２に示すように、片手で把持して操作可能なハンディタイプのビデオカメラ１であり、装置本体２と、装置本体２に回動可能に連結された表示パネル３とを備える。ビデオカメラ１は、主記録媒体として例えば装置本体２に内蔵されたメモリやハードディスクが用いられ、撮像レンズを介して取り込まれた光学的な画像をＣＣＤやＣＭＯＳ等の撮像素子で電気的な信号に変換した後、メモリやハードディスクに対して記録し、また表示パネル３に表示できるようにしている。また、ビデオカメラ１は、内蔵マイクを介して取り込まれた音声をＡＤ／ＤＡコンバータで音声信号に変換し、メモリやハードディスクに対して記録し、また内蔵スピーカから出力できるようにしている。
【００１９】
装置本体２は、前面に撮像レンズ群が配設されたレンズ鏡筒５が突出して形成されている。レンズ鏡筒５には、前面に設けられ、撮影時には外方に臨まされる撮像レンズ６を保護するレンズバリアとして機能するシャッタを有し、このシャッタを開閉させるシャッタ開閉機構１０が内蔵されている。このシャッタ開閉機構１０については後に詳述する。
【００２０】
また、装置本体２は、右側面にユーザによって把持される把持部７が形成されている。把持部７には、動画撮影に用いるスタート／ストップボタン、静止画撮影に用いるレリーズボタン、ズームレバー等が設けられている。また、装置本体２は、レンズ鏡筒５の上面に、ポップアップ可能なストロボ装置８が形成されている。
【００２１】
装置本体２の左側面には、表示パネル３が支持されている。表示パネル３は、装置本体２の左側面の前側において、ヒンジ機構９を介して接続されている。ヒンジ機構９は、装置本体２の上下方向に亘って設けられる第１の回動軸と、装置本体２の左右方向に亘って設けられる第２の回動軸とを有し、表示パネル３を互いに直交する方向へ回動可能に支持している。
【００２２】
表示パネル３は、例えばタッチパネルが重畳された液晶表示パネルが用いられ、画像を表示する表示部となると共に、操作パネルとしても機能する。具体的に、表示パネル３は、装置本体２の左側面側に回動されることにより装置本体２の外筐体の一部をなすパネル筐体を備え、パネル筐体内に、液晶モジュールと液晶モジュールに重畳されるタッチパネルとが一体化された入力表示モジュールが配設されている。
【００２３】
なお、入力表示モジュールは、液晶パネルの他にも、有機ＥＬ（Electroluminescence）パネルその他の平面モニタを用いることもできる。また、入力表示モジュールは、タッチパネルとして、相対向する面にそれぞれ透明電極が設けられた２枚のフィルム基板を備えた抵抗膜式タッチパネルを用いることができるが、これ以外にも静電容量式や超音波式等の各種のタッチパネルを用いることもできる。
【００２４】
＜２．シャッタ開閉機構＞
次いで、レンズ鏡筒５内に設けられているシャッタ開閉機構１０について説明する。シャッタ開閉機構１０は、レンズ鏡筒５の前面側に配設された撮像レンズ６を保護するレンズバリアとして機能するシャッタを開閉するとともに、このシャッタの不用意な開閉を防止するものである。シャッタ開閉機構１０は、図３〜図５に示すように、レンズ鏡筒５の前面側から順に、フロントカバー１１と、従動シャッタ１２と、従動シャッタ１２を回動させる主動シャッタ１３と、主動シャッタ１３及び従動シャッタ１２を回動可能に支持するベース板１４と、主動シャッタ１３を回動させるシャッタ回動部材１５と、シャッタ回動部材１５を回転させる回転機構１６とを備える。
【００２５】
そして、シャッタ開閉機構１０は、回転機構１６によってシャッタ回動部材１５を一方又は他方に回転することにより、主動シャッタ１３及び従動シャッタ１２を、フロントカバー１１及びベース板１４に形成された各開口部２０，２６を開放する開放位置と、各開口部２０，２６を閉塞する閉塞位置とへ回動させ、各位置にて保持する。
【００２６】
フロントカバー１１は、ベース板１４とともに主動シャッタ１３及び従動シャッタ１２を回動自在に挟持するものであり、ベース板１４と略同じ大きさの金属板からなる。フロントカバー１１は、撮像レンズ６を外方に臨ませるカバー開口部２０と、ベース板１４に突設された凸部２８と係合する複数の挿通孔２２が形成されている。また、フロントカバー１１は、ベース板１４に突設されたシャッタ１２，１３を支持する支持ピン２７が挿通する支持孔２３と、シャッタ回動部材１５の回動軸３６の回動軌跡に応じて円弧状に開口された軸孔２４とが形成されている。
【００２７】
フロントカバー１１は、複数の挿通孔２２にベース板１４の凸部２８が係合することによりベース板１４と係合される。また、フロントカバー１１は、支持孔２３に、シャッタ１２，１３を挿通したベース板１４の支持ピン２７が挿通することにより、ベース板１４とともにシャッタ１２，１３を回動自在に挟持する。
【００２８】
ベース板１４は、レンズ鏡筒５の前面側でフロントカバー１１とともにシャッタ１２，１３を挟持するとともに、レンズ鏡筒５の背面側でシャッタ回動部材１５及び回転機構１６を支持するものである。ベース板１４は、中央に撮像レンズ６を外方に臨ませるベース開口部２６が設けられた板状体からなり、レンズ鏡筒５の前面側の表面１４ａには、主動シャッタ１３及び従動シャッタ１２を同軸で支持する支持ピン２７と、フロントカバー１１と係合する複数の凸部２８と、シャッタ回動部材１５の回動軸３６が挿通する軸挿通孔２９とが形成されている。
【００２９】
支持ピン２７は、表面１４ａの周縁部に、一対設けられ、一方の支持ピン２７が一方の主動シャッタ１３及び従動シャッタ１２を同軸で支持し、他方の支持ピン２７が他方の主動シャッタ１３及び従動シャッタ１２を同軸で支持している。ベース板１４は、各支持ピン２７がフロントカバー１１の支持孔２３に挿通することにより、フロントカバー１１とともに、主動シャッタ１３及び従動シャッタ１２を支持ピン２７を支軸として回動自在に挟持する。
【００３０】
軸挿通孔２９は、ベース板１４の表裏面１４ａ，１４ｂを貫通し、裏面１４ｂに支持されているシャッタ回動部材１５の回動軸３６が挿通する貫通孔であり、各支持ピン２７の近傍に設けられている。軸挿通孔２９は、シャッタ回動部材１５の回動軸３６の回動軌跡に応じて円弧状に開口されている。回動軸３６は、軸挿通孔２９を挿通した後、主動シャッタ１３及び従動シャッタ１２の各係合孔４１，４５を挿通し、フロントカバー１１の軸孔２４に挿通する。
【００３１】
また、ベース板１４は、レンズ鏡筒５の背面側の裏面１４ｂには、周縁部に、シャッタ回動部材１５を回転自在に支持する回転支軸３０が突設されるとともに、シャッタ回動部材１５を回転させる回転機構１６が配設されている。また、ベース板１４は、裏面１４ｂに、回転機構１６へ電力を供給するフレキシブル配線板３１が配設されている。
【００３２】
なお、ベース板１４は、ベース開口部２６の外周囲に沿って防塵壁３２が形成されている。防塵壁３２は、ベース開口部２６より内側に塵埃等が進入することを防止するものである。
【００３３】
回転支軸３０に支持されるシャッタ回動部材１５は、図６に示すように、ベース板１４に回転可能に支持される支持部３４と、支持部３４の外周に嵌挿されることにより回転の軸周りに設けられる磁石３５と、主動シャッタ１３及び従動シャッタ１２に設けられた係合孔４１，４５に挿通する回動軸３６とを備える。
【００３４】
支持部３４は、中空円筒形状をなし、中空部３４ａにベース板１４の裏面１４ｂに突設されている回転支軸３０が挿通されている。これによりシャッタ回動部材１５は、回転自在に支持される。また、支持部３４は、ベース板１４の裏面１４ｂと対向する上端面３４ｂに、回動軸３６が突設されている。
【００３５】
さらに、支持部３４は、外周面に中空円筒形状の磁石３５が嵌挿され、磁石３５と一体とされている。したがってシャッタ回動部材１５は、磁石３５が後述する回転機構１６によって回転されると、この磁石と一体に回転される。
【００３６】
回動軸３６は、ベース板１４の軸挿通孔２９を挿通して表面１４ａ側に突出されるとともに、主動シャッタ１３及び従動シャッタ１２の基端側に形成された係合孔４１，４５に挿通し、さらにフロントカバー１１の軸孔２４に挿通されている。回動軸３６は、支持部３４が後述する回転機構１６によって回転されると、係合孔４１，４５内を円弧状に回動され、主動シャッタ１３及び従動シャッタ１２を回動させる。回動軸３６は、断面が略半円形状に形成され、主動シャッタ１３及び従動シャッタ１２を回動させる円弧部３６ａと、主動シャッタ１３の回動を規制する規制面部３６ｂとを有する。
【００３７】
円弧部３６ａは、シャッタ回動部材１５が一方に回転されることにより、主動シャッタ１３の係合孔４１に形成された押圧辺４２及び従動シャッタ１２の係合孔４５を押圧し、主動シャッタ１３及び従動シャッタ１２を、カバー開口部２０及びベース開口部２６を開放する開放方向へ回動させる。また、円弧部３６ａは、シャッタ回動部材１５が他方に回転されることにより、主動シャッタ１３の係合孔４１に形成された押圧辺４２を押圧して主動シャッタ１３を、カバー開口部２０及びベース開口部２６を閉塞する閉塞方向へ回動させる。
【００３８】
規制面部３６ｂは、主動シャッタ１３が、外部からの振動や衝撃、ユーザが触れるなどにより、開放方向又は閉塞方向へ揺動した場合に、係合孔４１に形成されたストッパ部４３が当接し、これ以上の揺動を規制するものである。規制面部３６ｂは、主動シャッタ１３及び従動シャッタ１２が各開口部２０，２６の開放位置又は閉塞位置に保持されている状態では、主動シャッタ１３及び従動シャッタ１２が開放位置又は閉塞位置へ回動されるときの、主動シャッタ１３のストッパ部４３の回動軌跡上に位置されている。したがって、規制面部３６ｂは、主動シャッタ１３が揺動されると、ストッパ部４３が当接し、主動シャッタ１３のこれ以上の回動を規制する。
【００３９】
また、規制面部３６ｂは、シャッタ回動部材１５が主動シャッタ１３に先行して回転されると、各開口部２０，２６の開放位置又は閉塞位置に保持されている主動シャッタ１３のストッパ部４３の回動軌跡上から退避し、主動シャッタ１３を回動可能とする。
【００４０】
また、回動軸３６は、可撓性を有するようにしてもよい。回動軸３６は、可撓性を備えることにより、主動シャッタ１３が、ユーザによって強引に開放位置又は閉塞位置へ回動されると、係合孔４１によって撓まされ、回動軸３６や回転支軸３０、あるいは主動シャッタ１３の破損を防止することができる。
【００４１】
なお、回動軸３６は、図６に示すように、支持部３４の上端面３４ｂ側となる基端側に補強部３７を形成してもよい。補強部３７は、可撓性を有する回動軸３６の基端部を補強するものであり、支持部３４の上端面３４ｂに、回動軸３６の基端部の周囲を補強する肉厚の突出形状として形成されている。補強部３７が形成されることにより、回動軸３６は、主動シャッタ１３が強引に回動されることにより撓まされたときにも、基端部の折れ曲がりや破断等が防止されている。
【００４２】
ここで、シャッタ回動部材１５によって回動される主動シャッタ１３、及び主動シャッタ１３に追従して回動される従動シャッタ１２について説明する。主動シャッタ１３及び従動シャッタ１２は、各２枚ずつ設けられ、２枚の主動シャッタ１３で開口部２０，２６の略中央部を開閉し、２枚の従動シャッタ１２で開口部２０，２６の周縁部を開閉する。
【００４３】
主動シャッタ１３及び従動シャッタ１２は、長板状に形成され、一端側にベース板１４の支持ピン２７が挿通するピン孔４０が形成されている。そして、主動シャッタ１３及び従動シャッタ１２は、支持ピン２７によってベース板１４の表面１４ａ側に回動可能に支持されるとともに、フロントカバー１１によって脱落が防止されている。
【００４４】
また、主動シャッタ１３は、一端側に、シャッタ回動部材の回動部が係合する係合部として、シャッタ回動部材１５の回動軸３６が挿通係合する係合孔４１が形成されている。主動シャッタ１３は、ベース板１４の軸挿通孔２９を介して表面１４ａ側に突出されている回動軸３６が係合孔４１に挿通することによって、この回動軸３６に押圧されて各開口部２０，２６を開放する開放位置と、閉塞する閉塞位置とに亘って回動される。
【００４５】
なお、従動シャッタ１２も、一端側に回動軸３６が挿通する係合孔４５が形成されている。従動シャッタ１２は、開口部２０，２６を開放する際は、回動軸３６に押圧されて主動シャッタ１３とともに開放方向へ回動され、開口部２０，２６を閉塞する際は、閉塞方向へ回動する主動シャッタ１３に係止されて同方向へ回動される。
【００４６】
図７（ａ）に主動シャッタ１３及び従動シャッタ１２が開放位置に回動されたシャッタ開閉機構１０の平面図を示す。図７（ａ）においてＡで示す囲み領域の平面図を図７（ｂ）に示す（なお、図８〜図１２についても同領域を各図（ｂ）に示す。）。図７（ｂ）に示すように、係合孔４１は、回動軸３６に当接されることにより開口部２０，２６の開閉方向に回動される押圧辺４２と、回動軸３６へ当接することにより開口部２０，２６の開閉方向への回動が規制されるストッパ部４３とが設けられている。
【００４７】
押圧辺４２は、主動シャッタ１３が開口部２０，２６の開放方向に回動される際に回動軸３６に押圧される第１の押圧辺４２ａと（図７（ｂ））、開口部２０，２６の閉塞方向に回動される際に回動軸３６に押圧される第２の押圧辺４２ｂとを有する（図９（ｂ））。
【００４８】
また、ストッパ部４３は、開放位置に回動されている主動シャッタ１３が閉塞方向へ揺動したときに回動軸３６の規制面部３６ｂに当接する第１のストッパ凸部４３ａと（図１１（ｂ））、閉塞位置に回動されている主動シャッタ１３が開放方向へ揺動したときに回動軸３６の規制面部３６ｂに当接する第２のストッパ凸部４３ｂとを有する（図１２（ｂ））。第１のストッパ凸部４３ａは、第１の押圧辺４２ａの一端から連続して形成され、第２のストッパ凸部４３ｂは、第２の押圧辺４２ｂの一端から連続して形成されている。
【００４９】
なお、図１３に示すように、係合孔４１は、外側縁にテーパ面４６を形成してもよい。係合孔４１は、テーパ面４６が形成されることにより、回動軸３６との接触面積が小さくなり、回動軸３６の係合孔４１の外側縁との摺動摩擦を低減させることができる。
【００５０】
次いで、かかる主動シャッタ１３及び従動シャッタ１２の回動動作について、説明する。なお、図７〜図１２では、従動シャッタ１２を省略している。
【００５１】
図７に示すように、主動シャッタ１３は、開口部２０，２６を開放する開放位置に保持されている状態では、回動軸３６によって第１の押圧辺４２ａが押圧されている。また、従動シャッタ１２も、回動軸３６が係合孔４５内を押圧して、主動シャッタ１３と同様に開放位置に保持されている。なお、このとき、シャッタ回動部材１５は、後述する回転機構１６のヨーク５０によって磁気吸引され、これにより回動軸３６が図７（ｂ）中矢印Ｏ方向へ回動付勢されて主動シャッタ１３及び従動シャッタ１２を開放位置へ保持している。
【００５２】
主動シャッタ１３は、後述する回転機構１６によってシャッタ回動部材１５が一方に回転されると、回動軸３６が図８（ｂ）中矢印Ｃ方向へ回動し、円弧部３６ａが第１の押圧辺４２ａから第２の押圧辺４２ｂ側へ回動し、第２のストッパ凸部４３ｂに摺接した後、第２の押圧辺４２ｂを押圧する（図９（ｂ））。これにより、主動シャッタ１３は、閉塞方向となる図８（ａ）中矢印Ａ方向へ回動され、開口部２０，２６を閉塞する閉塞位置に保持される（図９（ａ））。なお、回動軸３６は、円弧部３６ａが第２のストッパ凸部４３ｂに摺接するため、スムーズかつ負荷を与えることなく回動できる。
【００５３】
このとき、一対の主動シャッタ１３は、互いに突き合わされることにより回動が停止される。また、従動シャッタ１２は、主動シャッタ１３によって係止され、主動シャッタ１３に追従して閉塞位置へ回動される。なお、このとき、シャッタ回動部材１５は、後述する回転機構１６のヨーク５０によって磁気吸引され、これにより回動軸３６が図９（ｂ）中矢印Ｃ方向へ回動付勢されて主動シャッタ１３及び従動シャッタ１２を閉塞位置へ保持している。
【００５４】
また、主動シャッタ１３は、図９に示す閉塞位置に保持された状態で、シャッタ回動部材１５が他方に回転されると、回動軸３６が図１０（ｂ）中矢印Ｃ方向へ回動し、円弧部３６ａが第２の押圧辺４２ｂから第１の押圧辺４２ａ側へ回動し、第１のストッパ凸部４３ａに摺接した後、第１の押圧辺４２ａを押圧する（図７（ｂ））。これにより、主動シャッタ１３は、開放方向となる図１０（ａ）中矢印Ｂ方向へ回動され、開口部２０，２６を開放する開放位置に保持される（図７（ａ））。なお、回動軸３６は、円弧部３６ａが第１のストッパ凸部４３ａに摺接するため、スムーズかつ負荷を与えることなく回動できる。
【００５５】
このとき、従動シャッタ１２は、回動軸３６が係合孔４５内を回動することにより、主動シャッタ１３と同様に開放方向へ回動される。また、一対の主動シャッタ１３及び従動シャッタ１２は、それぞれベース板１４の表面１４ａに立設されたストッパ壁に当接することにより回動範囲が規制される。
【００５６】
このように、主動シャッタ１３は、回動軸３６が先行して回動することにより、回動軸３６がストッパ部４３の回動軌跡上から退避され、回動軸３６とストッパ部４３とが干渉することなく回動することができる。
【００５７】
次いで、開放位置あるいは閉塞位置に保持されている主動シャッタ１３が、外部からの衝撃やユーザが触れることなどにより閉塞方向あるいは開放方向へ揺動された際の回動規制動作について説明する。
【００５８】
主動シャッタ１３が開口部２０，２６を開放する開放位置に保持されている状態では（図７（ａ））、回動軸３６は、規制面部３６ｂが第１のストッパ凸部４３ａの回動軌跡上に位置されている。したがって、図１１（ａ）に示すように、主動シャッタ１３が回動軸３６に先行して開口部２０，２６の閉塞方向となる図１１（ａ）中矢印Ａ方向へ回動されると、図１１（ｂ）に示すように、第１のストッパ凸部４３ａが規制面部３６ｂに当接して、これ以上の回動が規制される。また、主動シャッタ１３が開放位置に保持されることから、従動シャッタ１２も、同様に開放位置に保持される。
【００５９】
これにより、シャッタ開閉機構１０は、主動シャッタ１３及び従動シャッタ１２が確実に開放位置に保持され、撮影画像に主動シャッタ１３や従動シャッタ１２が映り込むことが防止される。
【００６０】
また、主動シャッタ１３及び従動シャッタ１２が開口部２０，２６を閉塞する閉塞位置に保持されている状態では（図９（ａ））、回動軸３６は、規制面部３６ｂが第２のストッパ凸部４３ｂの回動軌跡上に位置されている。したがって、図１２（ａ）に示すように、主動シャッタ１３が回動軸３６に先行して開口部２０，２６の開放方向となる図１２（ａ）中矢印Ｂ方向へ回動されると、図１２（ｂ）に示すように、第２のストッパ凸部４３ｂが規制面部３６ｂに当接して、これ以上の回動が規制される。また、回動軸３６が回動されないことから、従動シャッタ１２も、閉塞位置に保持される。
【００６１】
これにより、シャッタ開閉機構１０は、主動シャッタ１３及び従動シャッタ１２が確実に閉塞位置に保持され、撮像レンズ６を保護することができる。
【００６２】
このようなシャッタ開閉機構１０によれば、主動シャッタ１３の係合孔４１に形成された押圧辺４２に回動軸３６が当接することにより主動シャッタ１３を開閉方向へ回動させるとともに、回動軸３６に先行して主動シャッタ１３が開閉方向へ回動するとストッパ部４３が回動軸３６に当接してこれ以上の回動が規制される。したがって、シャッタ開閉機構１０によれば、主動シャッタ１３の開閉動作を行う係合孔４１にストッパ部４３を設けるのみで、主動シャッタ１３の不用意な開閉を規制することができ、簡易な構成で、かつ確実に主動シャッタ１３及び従動シャッタ１２の揺動を規制し、回動軸３６の回動に追従したときのみ主動シャッタ１３及び従動シャッタ１２を回動させることができる。
【００６３】
また、回動軸３６が可撓性を備える場合、ユーザによって強引に主動シャッタ１３及び従動シャッタ１２が開放方向、又は閉塞方向へ回動されたときにも、回動軸３６が撓むことから、負荷が回動軸３６や係合孔４１，４５に集中することがない。したがって、シャッタ開閉機構１０は、回動軸３６や主動シャッタ１３、従動シャッタ１２の破損を防止できる。
【００６４】
さらに、回動軸３６が可撓性を備えるとともに、基端部に補強部３７を設けた場合、回動軸３６は、撓んだときにも、基端部が補強されているため、折れ曲がりや破断を防止できる。
【００６５】
次いで、シャッタ回動部材１５を回転させる回転機構１６について説明する。図３、図４及び図５に示すように、回転機構１６は、ベース板１４の裏面１４ｂに取り付けられることにより複数のシャッタ回動部材１５の間に配設された複数のヨーク５０を備える。本実施例においては、シャッタ回動部材１５の数に応じてヨーク５０が２つ設けられ、各ヨーク５０Ａ，５０Ｂは、ベース板１４の外周に沿った長板状に形成され、両端に磁石３５と対向する対向面５１が形成されると共に、中央部にコイル５２が巻回されている。そして、回転機構１６は、かかるヨーク５０Ａ，５０Ｂの各一端によって一方のシャッタ回動部材１５を挟み、各他端によって他方のシャッタ回動部材１５を挟む。
【００６６】
ヨーク５０Ａ，５０Ｂは、コイル５２に電流が印加されることにより、両端に磁極が発生する。このとき、ヨーク５０Ａ，５０Ｂは、シャッタ回動部材１５を挟む端部の磁極が反対となるように、電流が印加される。これにより、シャッタ回動部材１５は、磁石３５の各極性とヨーク５０Ａ，５０Ｂの端部の極性とが引き合う方向に回転される。
【００６７】
また、ヨーク５０Ａ，５０Ｂは、主動シャッタ１３及び従動シャッタ１２の回動方向に応じて、印加される電流の向きが変えられ、端部の磁極を反転させる。これにより、ヨーク５０Ａ，５０Ｂは、シャッタ回動部材１５を一方又は他方に回転させる。
【００６８】
また、図３に示すように、ヨーク５０Ａ，５０Ｂは、それぞれ両端に対向面５１が立ち上がり形成されている。対向面５１は、ヨーク本体より立設されることにより、円筒形の磁石３５と略同じ高さを有する。これにより、ヨーク５０Ａ，５０Ｂは、磁石３５の全体に亘って磁力を作用させ、大きなトルクを発生させることができ、確実に主動シャッタ１３及び従動シャッタ１２を回動させることができる。
【００６９】
また、対向面５１は、ヨーク５０Ａ，５０Ｂの各両端側が磁石３５の外周に沿って立ち上がり形成することにより磁石３５と略同じ高さに形成されている。したがって、ヨーク５０Ａ，５０Ｂは、その厚みを厚くすることにより同じ高さを出す構成に比して、軽量に形成することができる。
【００７０】
なお、コイル５２は、ベース板１４の裏面１４ｂに配設されているフレキシブル配線板３１と接続されて、電流が供給される。
【００７１】
次いで、回転機構１６の動作について、図１４及び図１５を参照しながら説明する。図１４（ａ）は、開口部２０，２６を閉塞した状態を示す回転機構１６を示す平面図であり、図１４（ｂ）は開口部２０，２６を閉塞した状態を示すシャッタ開閉機構１０を示す平面図である。また、図１５（ａ）は、開口部２０，２６を開放した状態を示す回転機構１６を示す平面図であり、図１５（ｂ）は開口部２０，２６を開放した状態を示すシャッタ開閉機構１０を示す平面図である。なお、図１４（ｂ）及び図１５（ｂ）は、いずれもフロントカバー１１は省略してある。
【００７２】
回転機構１６は、開口部２０，２６を閉塞した状態においては、図１４（ａ）に示すように、コイル５２の電流方向を制御して、ヨーク５０Ａの一方の対向面５１ａをＳ極、他方の対向面５１ｂをＮ極とし、同様に、ヨーク５０Ｂの一方の対向面５１ｃをＮ極、他方の対向面５１ｄをＳ極としている。これにより、一対のシャッタ回動部材１５は、各磁石３５が反対方向からＳ極とＮ極で挟まれる。したがって、各磁石３５は、Ｎ極部３５ＮがＳ極の対向面５１ａ，５１ｄに吸引され、Ｓ極部３５ＳがＮ極の対向面５１ｂ，５１ｃに吸引される。この磁気吸引力は、コイル５２への電力の供給が断たれた後も残存している。
【００７３】
そして、回転機構１６は、開口部２０，２６を開放する場合、図１５（ａ）に示すように、コイル５２の電流方向を反転させ、ヨーク５０Ａの一方の対向面５１ａをＮ極、他方の対向面５１ｂをＳ極とし、同様に、ヨーク５０Ｂの一方の対向面５１ｃをＳ極、他方の対向面５１ｄをＮ極とする。これにより、一対のシャッタ回動部材１５は、Ｎ極部３５ＮがＮ極とされた対向面５１ａ，５１ｄと反発すると共に、Ｓ極とされた対向面５１ｂ，５１ｃと引き合う。同様に、一対のシャッタ回動部材１５は、Ｓ極部３５ＳがＳ極とされた対向面５１ｂ，５１ｃと反発すると共に、Ｎ極とされた対向面５１ａ，５１ｄと引き合う。
【００７４】
したがって、一対のシャッタ回動部材１５は、回転支軸３０の周りを図１５（ａ）中矢印Ｄ方向へ回転し、回動軸３６を図１０中矢印Ｏ方向へ回動させる。これにより、回動軸３６は、主動シャッタ１３の押圧辺４２及び従動シャッタ１２の係合孔４５を押圧して開放位置へ回動させる。
【００７５】
主動シャッタ１３及び従動シャッタ１２は、ベース板１４の表面１４ａに設けられたストッパ壁に当接することにより開放方向への回動範囲が規制され、これによりシャッタ回動部材１５の回転範囲の一方も規定される。このとき、シャッタ回動部材１５は、Ｎ極部３５ＮがＳ極とされた対向面５１ｂ，５１ｃと引き合うとともに、Ｓ極部３５ＳがＮ極とされた対向面５１ａ，５１ｄと引き合う。この磁気吸引力は、コイル５２への電力の供給が断たれた後も残存している。したがって、シャッタ回動部材１５は、回動軸３６の回動が磁力によって規制され、主動シャッタ１３及び従動シャッタ１２の揺動を防止し、開放位置に保持することができる。
【００７６】
開放位置に保持されている主動シャッタ１３及び従動シャッタ１２を閉塞位置へ回動させる場合は、コイル５２の電流方向を反転させる。これにより、上述したように、磁石３５に作用する極が反転することから、一対のシャッタ回動部材１５は、回転支軸３０の周りを図１４中矢印Ｅ方向へ回転し、回動軸３６を図８中矢印Ｃ方向へ回動させる。これにより、回動軸３６は、主動シャッタ１３の押圧辺４２を押圧して閉塞位置へ回動させる。
【００７７】
従動シャッタ１２は、主動シャッタ１３に係止され、追従して閉塞位置へ回動される。主動シャッタ１３は、互いに突き合わされることにより閉塞方向への回動範囲が規制され、これによりシャッタ回動部材１５の回転範囲の他方も規定される。シャッタ回動部材１５は、主動シャッタ１３の回転範囲の両方が規定されることにより回転角度が規定され、本実施例では回転範囲が６０°とされている。
【００７８】
このとき、シャッタ回動部材１５は、Ｎ極部３５ＮがＳ極とされた対向面５１ａ，５１ｄと引き合うとともに、Ｓ極部３５ＳがＮ極とされた対向面５１ｂ，５１ｃと引き合う。この磁気吸引力は、コイル５２への電力の供給が断たれた後も残存している。したがって、シャッタ回動部材１５は、回動軸３６の回動が磁力によって規制され、主動シャッタ１３及び従動シャッタ１２の揺動を防止し、閉塞位置に保持することができる。
【００７９】
このような回転機構１６を用いることにより、シャッタ開閉機構１０は、簡易な構成で主動シャッタ１３及び従動シャッタ１２を回動させることができる。特に、シャッタ開閉機構１０は、駆動モータや連結ギヤ機構をシャッタの近傍に設ける必要がないことから、図１及び図２に示すように、ビデオカメラ１等の撮像装置に適用することにより、部品点数の削減を図るとともに、ギアボックスが不要となり、レンズ鏡筒５の小型化を図ることができ、またデザインの自由度も確保することができる。
【００８０】
また、シャッタ開閉機構１０は、ベース板１４上を回転する回転半径の大きなリング状の回転部材を用いていないため、ベース板１４の省スペースを図ることができ、例えば本実施例では、コイル５２が巻回されるヨーク５０の中間部を直線状に形成することができ、コイル５２を絶縁シートを介して巻き付けることができる。したがって、ヨーク５０は、ボビンを用いることなくコイル５２を巻回でき、光軸方向への薄型化を図ることができる。
【００８１】
また、シャッタ開閉機構１０は、ヨーク５０の中間部を直線状に形成できることから、ベース板１４やフロントカバー１１も直線状の外周形状を形成することができ、円形状に形成した場合に比してレンズ鏡筒内において省スペース化が図られている。したがって、シャッタ開閉機構１０を用いたビデオカメラ１では、レンズ鏡筒５の前面側上部にストロボ装置８を配設することができる。
【００８２】
また、シャッタ開閉機構１０は、主動シャッタ１３及び従動シャッタ１２を開閉位置と閉塞位置とに亘って回動するとともに当該位置に保持するために、各コイル５２に電流を供給し、シャッタ回動部材１５を例えば６０°の範囲で回転させればよく、当該位置まで回動された後は、磁石３５の各極が対抗する対向面５１と引き合うことから、電流を供給し続ける必要がない。したがって、シャッタ開閉機構１０は、省電力でかつ、無用なトルクを必要とせずに開閉動作を行うことができる。
【００８３】
また、シャッタ開閉機構１０は、シャッタ回動部材１５を例えば６０°の範囲で回転させる極短時間だけ電流を流すだけで開閉動作を行い、また、主動シャッタ１３及び従動シャッタ１２の回動位置は、ベース板１４の表面１４ａに立設されたストッパ壁に当接することにより、又は主動シャッタ１３同士が当接することにより規定される。したがって、シャッタ開閉機構１０は、モータの駆動を制御するセンサー等が不要である。
【００８４】
また、シャッタ開閉機構１０は、回転半径の小さなシャッタ回動部材１５を例えば６０°の範囲で回転させるだけで開閉動作を行うものであり、摩擦抵抗によるトルクのロスも小さくすることができる。
【００８５】
次いで、シャッタ開閉機構の他の実施例について説明する。図１６に示すように、このシャッタ開閉機構６０では、シャッタ回動部材６１を用い、このシャッタ回動部材６１には、上部シャッタ６５と係合する回動部として回動孔６２が設けられている。また、上部シャッタ６５には、シャッタ回動部材の回動部に係合する係合部として、回動孔６２に挿通係合する係合軸６３が設けられている。なお、本実施例では、上部シャッタ６５と同構成の下部シャッタ（図示せず）を有するとともに、当該下部シャッタにもシャッタ回動部材６１と同構成のシャッタ回動部材が係合され、上部シャッタ及び下部シャッタで開口部２０，２６を開閉する。以下では、上部シャッタ６５及びシャッタ回動部材６１について説明する。
【００８６】
シャッタ回動部材６１は、上記シャッタ回動部材１５と同様に、ベース板１４に回転可能に支持されるとともに、回転機構１６によって回転されることにより上部シャッタ６５を開閉方向に回動させるものである。シャッタ回動部材６１は、上記シャッタ回動部材１５と同様に、ベース板１４に回転自在に支持される中空円筒状の支持部と、支持部の外周面に嵌挿され回転機構１６によって回転される中空円筒状の磁石とを備える。そして、シャッタ回動部材６１は、支持部の上端面側に形成されベース板１４の表面１４ａ側を回動する回動片６４が形成されている。そして、シャッタ回動部材６１は、回転機構１６によって磁石及び支持部が回転されると、これらと一体に回動片６４が、上部シャッタ６５を開口部２０，２６の開放位置へ回動する図１７中矢印Ｏ方向と、開口部２０，２６の閉塞位置へ回動する図１７中矢印Ｃへ回動する。
【００８７】
回動片６４は、上部シャッタ６５の係合軸６３が挿通係合する回動孔６２が形成されている。回動孔６２は、係合軸６３を押圧することにより、上部シャッタ６５を開口部２０，２６の開閉方向へ回動する押圧辺６６と、係合軸が当接することにより上部シャッタ６５の回動を規制するストッパ部６７とが形成されている。
【００８８】
押圧辺６６は、上部シャッタ６５が開口部２０，２６の開放方向に回動される際に係合軸６３を押圧する第１の押圧辺６６ａと、開口部２０，２６の閉塞方向に回動される際に係合軸６３を押圧する第２の押圧辺６６ｂとを有する。
【００８９】
また、ストッパ部６７は、開放位置に回動されている上部シャッタ６５が閉塞方向へ揺動したときに係合軸６３の一方の係止凹部６３ｂに係止する第１のストッパ凸部６７ａと、閉塞位置に回動されている上部シャッタ６５が開放方向へ揺動したときに係合軸６３の他方の係止凹部６３ｂに当接する第２のストッパ凸部６７ｂとを有する。
【００９０】
回動孔６２に挿通する係合軸６３は、第１、第２の押圧辺６６ａ，６６ｂに押圧される円弧部６３ａと、第１、第２のストッパ凸部６７ａ，６７ｂに係止される一対の係止凹部６３ｂ，６３ｂとが形成されている。
【００９１】
このようなシャッタ開閉機構６０は、図１７（ａ）（ｂ）に示すように、上部シャッタ６５が開放位置に保持されている状態から、シャッタ回動部材６１が回転機構１６によって回転されると、回動片６４が図１８（ｂ）中矢印Ｃ方向へ回動される。これにより、上部シャッタ６５は、係合軸６３が第２の押圧辺６６ｂに押圧されて、開口部２０，２６を閉塞する図１８（ａ）中矢印Ａ方向へ回動される。このとき、係合軸６３は、回動片６４が先行して矢印Ｃ方向へ回動され、回動孔６２の第１のストッパ凸部６７ａが係止凹部６３ｂの回動軌跡上から退避されているため、第１のストッパ凸部６７ａに係止されることなく、スムーズに回動される。
【００９２】
また、シャッタ開閉機構６０は、図１９（ａ）（ｂ）に示すように、上部シャッタ６５が閉塞位置に保持されている状態から、シャッタ回動部材６１が回転機構１６によって回転されると、回動片６４が図２０中（ｂ）矢印Ｏ方向へ回動される。これにより、上部シャッタ６５は、係合軸６３が第１の押圧辺６６ａに押圧されて、開口部２０，２６を開放する図２０（ａ）中矢印Ｂ方向へ回動される。このとき、係合軸６３は、回動片６４が先行して矢印Ｏ方向へ回動され、回動孔６２の第２のストッパ凸部６７ｂが係止凹部６３ｂの回動軌跡上から退避されているため、第２のストッパ凸部６７ｂに係止されることなく、スムーズに回動される。
【００９３】
また、シャッタ開閉機構６０は、図１７（ａ）に示す上部シャッタ６５の開放位置から、ビデオカメラの揺動やユーザが上部シャッタ６５に触れるなどにより、上部シャッタ６５が閉塞方向となる図２１（ａ）中矢印Ａ方向へ回動されると、図２１（ｂ）に示すように、係合軸６３の係止凹部６３ｂが、その回動軌跡上に位置する回動孔６２の第１のストッパ凸部６７ａに係止される。したがって、上部シャッタ６５は、これ以上の矢印Ａ方向への回動が規制され、撮影画像に主動シャッタ１３や従動シャッタ１２が映り込むことが防止される。
【００９４】
また、シャッタ開閉機構６０は、図１９（ａ）に示す上部シャッタ６５の閉塞位置から、上部シャッタ６５が開放方向となる図２２（ａ）中矢印Ｂ方向へ回動されると、図２２（ｂ）に示すように、係合軸６３の係止凹部６３ｂが、その回動軌跡上に位置する回動孔６２の第２のストッパ凸部６７ｂに係止される。したがって、上部シャッタ６５は、これ以上の矢印Ｂ方向への回動が規制され、撮像レンズ６を保護することができる。
【００９５】
なお、シャッタ開閉機構６０においても、上述したシャッタ開閉機構１０と同様に、係合軸６３に可撓性を備えるように形成してもよい。また、係合軸６３の基端部に補強部を設けるようにしてもよい。さらに、回動孔６２の外側縁にテーパ面を形成してもよい。
【産業上の利用可能性】
【００９６】
シャッタ開閉機構１０，６０は、上述したように、レンズ鏡筒５の前面部に設けて撮像レンズ６を保護するレンズバリア機構に用いる以外にも、撮像素子に入射する光線を制御するシャッタ機構に用いることもできる。
【符号の説明】
【００９７】
１  ビデオカメラ、２  装置本体、５  レンズ鏡筒、６  撮像レンズ、８  ストロボ装置、１０  シャッタ開閉機構、１１  フロントカバー、１２  従動シャッタ、１３  主動シャッタ、１４  ベース板、１５  シャッタ回動部材、１６  回転機構、２０  カバー開口部、２２  挿通孔、２３  支持孔、２４  軸孔、２６  ベース開口部、２７  支持ピン、２９  軸挿通孔、３０  回転支軸、３１  フレキシブル配線板、３２  防塵壁、３４  支持部、３４ａ  中空部、３５  磁石、３６  回動軸、３６  円弧部、４１  係合孔、４２  回動部、４２ａ  第１の押圧辺、４２ｂ  第２の押圧辺、４３  ストッパ部、４３ａ  第１のストッパ凸部、４３ｂ  第２のストッパ凸部、４５  係合孔、４６  テーパ面、５０  ヨーク、５１  対向面、５２  コイル
【図１】
0005493879.tif 000002
【図２】
0005493879.tif 000003
【図３】
0005493879.tif 000004
【図４】
0005493879.tif 000005
【図５】
0005493879.tif 000006
【図６】
0005493879.tif 000007
【図７】
0005493879.tif 000008
【図８】
0005493879.tif 000009
【図９】
0005493879.tif 000010
【図１０】
0005493879.tif 000011
【図１１】
0005493879.tif 000012
【図１２】
0005493879.tif 000013
【図１３】
0005493879.tif 000014
【図１４】
0005493879.tif 000015
【図１５】
0005493879.tif 000016
【図１６】
0005493879.tif 000017
【図１７】
0005493879.tif 000018
【図１８】
0005493879.tif 000019
【図１９】
0005493879.tif 000020
【図２０】
0005493879.tif 000021
【図２１】
0005493879.tif 000022
【図２２】
0005493879.tif 000023
【図２３】
0005493879.tif 000024
【図２４】
0005493879.tif 000025